(57)【要約】【課題】  循環ポンプの消費エネルギーを低減することができ、かつ、油冷却器内に腐食などが発生するのを抑えることができる油冷却装置を提供する。【解決手段】  冷却水Ｗを冷却する水冷却器２Ａ、２Ｂと、冷却水Ｗによって軸受油Ｐを冷却する２器の油冷却器３Ａ、３Ｂと、水冷却器２Ａ、２Ｂから油冷却器３Ａ、３Ｂに冷却水Ｗを供給する循環ポンプ４Ａ〜４Ｃと、油冷却器３Ａ、３Ｂに供給する冷却水Ｗの量を調節する調節弁５と、軸受油Ｐの流入を一方の油冷却器３Ａ、３Ｂまたは両方の油冷却器３Ａ、３Ｂに切り替える切替弁６とを備える。平常時は、両方の油冷却器３Ａ、３Ｂに冷却水Ｗが供給されるとともに、両方の油冷却器３Ａ、３Ｂに軸受油Ｐが流入するように切替弁６が設定されている。【選択図】  図１
2008064040.tif 000002
【特許請求の範囲】
【請求項１】
冷却媒体を冷却する冷却媒体冷却器と、
流入された油を前記冷却媒体冷却器から供給された冷却媒体によって冷却する油冷却器と、
前記冷却媒体冷却器から前記油冷却器に前記冷却媒体を供給する冷却媒体供給手段と、
前記油冷却器によって冷却された油の温度に基づいて、前記油冷却器に供給する冷却媒体の量を調節する調節弁と、を備えた油冷却装置であって、
２器の前記油冷却器と、
前記油の流入を、一方の前記油冷却器または両方の前記油冷却器に切り替える切替弁と、を設け、
平常時は、両方の前記油冷却器に前記冷却媒体が供給されるとともに、両方の前記油冷却器に前記油が流入するように前記切替弁が設定されていることを特徴とする油冷却装置。
【請求項２】
前記油冷却器の一方が異常の場合に、他方の油冷却器のみに前記冷却媒体が供給されるとともに、当該他方の油冷却器のみに前記油が流入するように前記切替弁が切り替えられることを特徴とする請求項１に記載の油冷却装置。
【請求項３】
前記油冷却器に流入する油の温度に基づいて、一方の油冷却器のみに前記冷却媒体が供給されるとともに、当該一方の油冷却器のみに前記油が流入するように前記切替弁が切り替えられることを特徴とする請求項１に記載の油冷却装置。
【請求項４】
前記油冷却器に流入する油の量に基づいて、一方の油冷却器のみに前記冷却媒体が供給されるとともに、当該一方の油冷却器のみに前記油が流入するように前記切替弁が切り替えられることを特徴とする請求項１に記載の油冷却装置。
【請求項５】
前記調節弁の開弁度に基づいて、一方の油冷却器のみに前記冷却媒体が供給されるとともに、当該一方の油冷却器のみに前記油が流入するように前記切替弁が切り替えられることを特徴とする請求項１に記載の油冷却装置。
【請求項６】
流入された油を供給された冷却媒体によって冷却する油冷却器を２器備えた油冷却方法であって、
平常時は、両方の前記油冷却器に前記冷却媒体を供給するとともに、両方の前記油冷却器に前記油を流入させ、
前記油冷却器の異常や前記油の流入量などの冷却条件に基づいて、一方の油冷却器のみに前記冷却媒体を供給するとともに、当該一方の油冷却器のみに前記油を流入させることを特徴とする油冷却方法。
【発明の詳細な説明】
【技術分野】
【０００１】
本発明は、２つの油冷却器を備えた油冷却装置および油冷却方法に関する。
【背景技術】
【０００２】
例えば、発電所においては、タービンの軸受油などを冷却するために、油冷却装置が使用されている。この油冷却装置は、油冷却器と、水冷却器と、循環ポンプ（冷却媒体供給手段）と、調節弁とを備え、タービン側から送られた高温の軸受油が油冷却器に流入されるとともに、水冷却器からの低温の冷却水が油冷却器に供給される。そして、軸受油と冷却水とが油冷却器内を流動することで、軸受油と冷却水との間で熱交換が行われ、軸受油の温度が下げられる。一方、循環ポンプによって、冷却水を水冷却器と油冷却器との間で循環させ、油冷却器から流出した（温度が下げられた）軸受油の温度に基づいて調節弁を制御して、油冷却器に供給する冷却水の量を調節するものである（例えば、特許文献１参照。）。
【０００３】
また、発電所などにおいては、故障などの異常時に備えて、油冷却装置内に油冷却器を２器備えている。そして、平常時においては、一方の油冷却器のみに軸受油と冷却水とを流入、供給し、軸受油の冷却を行っていた。つまり、一方の油冷却器のみを使用していた。
【特許文献１】特開平８−１２１１１３号公報
【発明の開示】
【発明が解決しようとする課題】
【０００４】
ところで、上記のように一方の油冷却器のみによって軸受油の冷却を行う場合、軸受油を冷却する冷却面積が１油冷却器の面積しかないために（冷却面を１器分しか活用しないために）、多量の冷却水を油冷却器に供給する必要がある。つまり、冷却面積が少ないために、軸受油を冷却するのに多量の冷却水を要する。このため、調節弁がより開くように制御され、より多くの冷却水を油冷却器に供給するために、循環ポンプの動力（消費エネルギー）が高くなる。また、平常時は使用されていない他方の油冷却器には、軸受油と冷却水とが流入、供給されず、流体の流動がないため、内部に腐食などが発生するおそれがある。
【０００５】
そこで本発明は、ポンプなどの冷却媒体供給手段の消費エネルギーを低減することができ、かつ、油冷却器内に腐食などが発生するのを抑えることができる油冷却装置および油冷却方法を提供することを目的とする。
【課題を解決するための手段】
【０００６】
上記目的を達成するために請求項１に記載の発明は、冷却媒体を冷却する冷却媒体冷却器と、流入された油を前記冷却媒体冷却器から供給された冷却媒体によって冷却する油冷却器と、前記冷却媒体冷却器から前記油冷却器に前記冷却媒体を供給する冷却媒体供給手段と、前記油冷却器によって冷却された油の温度に基づいて、前記油冷却器に供給する冷却媒体の量を調節する調節弁と、を備えた油冷却装置であって、２器の前記油冷却器と、前記油の流入を、一方の前記油冷却器または両方の前記油冷却器に切り替える切替弁と、を設け、平常時は、両方の前記油冷却器に前記冷却媒体が供給されるとともに、両方の前記油冷却器に前記油が流入するように前記切替弁が設定されていることを特徴としている。
（作用）
平常時は、両方の油冷却器に冷却媒体が供給されるとともに油が流入され、両方の油冷却器によって油が冷却される。
【０００７】
請求項２に記載の発明は、請求項１に記載の油冷却装置において、前記油冷却器の一方が異常の場合に、他方の油冷却器のみに前記冷却媒体が供給されるとともに、当該他方の油冷却器のみに前記油が流入するように前記切替弁が切り替えられることを特徴としている。
（作用）
一方の油冷却器が故障などの異常の場合には、他方の油冷却器のみに冷却媒体が供給されるとともに油が流入され、当該他方の油冷却器によって油が冷却される。
【０００８】
請求項３に記載の発明は、請求項１に記載の油冷却装置において、前記油冷却器に流入する油の温度に基づいて、一方の油冷却器のみに前記冷却媒体が供給されるとともに、当該一方の油冷却器のみに前記油が流入するように前記切替弁が切り替えられることを特徴としている。
（作用）
例えば、油の流入温度が低く、冷却能力を適正化する（下げる）必要がある場合には、一方の油冷却器のみに冷却媒体が供給されるとともに油が流入され、当該一方の油冷却器のみによって油が冷却される。
【０００９】
請求項４に記載の発明は、請求項１に記載の油冷却装置において、前記油冷却器に流入する油の量に基づいて、一方の油冷却器のみに前記冷却媒体が供給されるとともに、当該一方の油冷却器のみに前記油が流入するように前記切替弁が切り替えられることを特徴としている。
（作用）
例えば、油の流入量が所定量よりも少なく、冷却能力を適正化する必要がある場合には、一方の油冷却器のみに冷却媒体が供給されるとともに油が流入され、当該一方の油冷却器のみによって油が冷却される。
【００１０】
請求項５に記載の発明は、請求項１に記載の油冷却装置において、前記調節弁の開弁度に基づいて、一方の油冷却器のみに前記冷却媒体が供給されるとともに、当該一方の油冷却器のみに前記油が流入するように前記切替弁が切り替えられることを特徴としている。
（作用）
例えば、調節弁の開弁度が小さく、冷却媒体の供給量が極めて少ない場合には、一方の油冷却器のみに冷却媒体が供給されるとともに油が流入され、当該一方の油冷却器のみによって油が冷却される。
【００１１】
請求項６に記載の発明は、流入された油を供給された冷却媒体によって冷却する油冷却器を２器備えた油冷却方法であって、平常時は、両方の前記油冷却器に前記冷却媒体を供給するとともに、両方の前記油冷却器に前記油を流入させ、前記油冷却器の異常や前記油の流入量などの冷却条件に基づいて、一方の油冷却器のみに前記冷却媒体を供給するとともに、当該一方の油冷却器のみに前記油を流入させることを特徴としている。
【発明の効果】
【００１２】
請求項１に記載の発明によれば、平常時は、両方の油冷却器によって油が冷却される。すなわち、１器の油冷却器によって油を冷却する場合に比べて、油を冷却する冷却面積が２倍になるため、冷却に必要な冷却媒体の供給量を減らすことができる。この結果、ポンプなどの冷却媒体供給手段の消費エネルギー（動力）を低減することができる。また、両方の油冷却器が使用されるため、一方の油冷却器内に腐食などが発生するのを抑えることができる。
【００１３】
請求項２に記載の発明によれば、一方の油冷却器が異常の場合には、他方の油冷却器によって油が冷却される。このため、一方の油冷却器が故障などしても、油の冷却を継続することができる。
【００１４】
請求項３に記載の発明によれば、油冷却器に流入する油の温度に基づいて、一方の油冷却器のみを使用するようにしているため、より効率的な油冷却器の使用が可能となる。この結果、冷却媒体の供給量を減らし（適正化し）、冷却媒体供給手段の消費エネルギーをより低減することが可能となる。
【００１５】
請求項４に記載の発明によれば、油冷却器に流入する油の量に基づいて、一方の油冷却器のみを使用するようにしているため、より効率的な油冷却器の使用が可能となる。この結果、冷却媒体の供給量を適正化し、冷却媒体供給手段の消費エネルギーをより低減することが可能となる。
【００１６】
請求項５に記載の発明によれば、調節弁の開弁度に基づいて、一方の油冷却器のみを使用するようにしているため、冷却媒体の供給量に応じた効率的な油冷却器の使用、油の冷却が可能となる。
【００１７】
請求項６に記載の発明によれば、平常時は両方の油冷却器を使用するため、請求項１に記載の発明と同様に、油冷却器に冷却媒体を供給するためのポンプなど（冷却媒体供給手段）の消費エネルギーを低減することができるとともに、油冷却器内に腐食などが発生するのを抑えることができる。また、冷却条件に基づいて、一方の油冷却器のみを使用するようにしているため、より効率的な油冷却器の使用が可能となる。この結果、冷却媒体の供給量を適正化して、冷却媒体供給手段の消費エネルギーをより低減することが可能となる。
【発明を実施するための最良の形態】
【００１８】
以下、この発明を図示の実施の形態に基づいて説明する。
【００１９】
図１は、この発明の実施の形態に係る油冷却装置１を示す概略構成図（系統図）である。この実施の形態に係る油冷却装置１は、発電所に設置され、タービンの軸受油（油）Ｐを冷却するための装置であり、主として、２器の水冷却器（冷却媒体冷却器）２Ａ、２Ｂと、２器の油冷却器３Ａ、３Ｂと、循環ポンプ（冷却媒体供給手段）４Ａ〜４Ｃと、調節弁５と、切替弁６と、制御ユニット（図示せず）とを備えている。
【００２０】
水冷却器２Ａ、２Ｂは、冷却水（冷却媒体）Ｗを海水Ｓによって冷却する冷却器であり、一方が故障などしても冷却を継続できるように２器備えられている。この水冷却器２Ａ、２Ｂは、油冷却器３Ａ、３Ｂ側から送られた高温の冷却水Ｗが流入されるとともに、低温の海水Ｓが供給される。そして、冷却水Ｗと海水Ｓとが水冷却器２Ａ、２Ｂ内を流動することで、冷却水Ｗと海水Ｓとの間で熱交換が行われ、冷却水Ｗの温度が下げられるものである。また、水冷却器２Ａ、２Ｂで冷却された冷却水Ｗは、油冷却器３Ａ、３Ｂ側に送られ、水冷却器２Ａ、２Ｂ内を通過した海水Ｓは、海水側に送られる（戻される）。ここで、図中符号Ｖ１は、海水Ｓの水冷却器２Ａ、２Ｂへの流入を開閉する弁であり、符号Ｖ２は、海水Ｓの水冷却器２Ａ、２Ｂからの流出を開閉する弁である。さらに、符号Ｖ３は、冷却水Ｗの水冷却器２Ａ、２Ｂへの流入を開閉する弁であり、符号Ｖ４は、冷却水Ｗの水冷却器２Ａ、２Ｂからの流出を開閉する弁である。これらの開閉弁Ｖ１〜Ｖ４の開閉および開閉度は、制御ユニットによって制御されるようになっている。
【００２１】
油冷却器３Ａ、３Ｂは、高温の軸受油Ｐを低温の冷却水Ｗによって冷却する冷却器であり、一方が故障などしても冷却を継続できるように２器備えられている。油冷却器３Ａ、３Ｂは、タービン側から送られた軸受油Ｐが、切替弁６を介して流入されるとともに、水冷却器２Ａ、２Ｂ側から冷却水Ｗが供給される。そして、軸受油Ｐと冷却水Ｗとが油冷却器３Ａ、３Ｂ内を流動することで、軸受油Ｐと冷却水Ｗとの間で熱交換が行われ、軸受油Ｐの温度が下げられるものである。ここで、図中符号Ｖ５は、冷却水Ｗの油冷却器３Ａ、３Ｂへの流入を開閉する弁であり、符号Ｖ６は、冷却水Ｗの油冷却器３Ａ、３Ｂからの流出を開閉する弁である。また、符号Ｖ７は、冷却水Ｗの圧力を調節する弁であり、符号Ｖ８は、冷却水Ｗの温度を調節する弁である。これらの弁Ｖ５〜Ｖ８の開閉および開閉度は、制御ユニットによって制御されるようになっている。
【００２２】
循環ポンプ４Ａ〜４Ｃは、水冷却器２Ａ、２Ｂから油冷却器３Ａ、３Ｂに冷却水Ｗを供給するとともに、油冷却器３Ａ、３Ｂから水冷却器２Ａ、２Ｂに冷却水Ｗを戻すためのポンプである。つまり、冷却水Ｗを水冷却器２Ａ、２Ｂと油冷却器３Ａ、３Ｂとの間で循環させるためのポンプである。
【００２３】
調節弁５は、油冷却器３Ａ、３Ｂによって冷却された軸受油Ｐの温度、つまり油冷却器３Ａ、３Ｂから流出する軸受油Ｐの温度に基づいて、油冷却器３Ａ、３Ｂに供給する冷却水Ｗの量を調節する弁である。言い換えると、冷却水Ｗの供給量を調節することで、軸受油Ｐの冷却温度を調節する弁である。この調節弁５の開弁度は、制御ユニットによって制御され、例えば、油冷却器３Ａ、３Ｂから流出する軸受油Ｐの温度が所定温度よりも高い場合には、弁を開くように制御される。一方、油冷却器３Ａ、３Ｂから流出する軸受油Ｐの温度が所定温度よりも低い場合には、弁を閉じるように制御される。
【００２４】
切替弁６は、軸受油Ｐを一方の油冷却器３Ａ、３Ｂのみに流入させるか、または両方の油冷却器３Ａ、３Ｂに流入させるかを切り替える弁であり、制御ユニットによって制御される。この切替弁６は、図２に示のように、３つの流入ポート６ａ〜６ｃと、３つの流出ポート６ｄ〜６ｆとを備え、略剣菱形の切替駒６ｇが回転（回動）自在に配設されている。そして、切替駒６ｇが略水平に位置するニュートラルの状態では、図示のように、流入ポート６ａと流出ポート６ｄ、６ｅとが連通し、流入ポート６ｂ、６ｃと流出ポート６ｆとが連通する。この状態で、タービン側から送られた軸受油Ｐが、流入ポート６ａから切替弁６内に流入して、流出ポート６ｄから第１油冷却器３Ａに流入するとともに、流出ポート６ｅから第２油冷却器３Ｂに流入する。一方、第１油冷却器３Ａから流出した軸受油Ｐが、流入ポート６ｃから切替弁６内に流入し、流出ポート６ｆから流出してタービン側に送られる。同様に、第２油冷却器３Ｂから流出した軸受油Ｐが、流入ポート６ｂから切替弁６内に流入し、流出ポート６ｆから流出してタービン側に送られる。
【００２５】
また、切替駒６ｇが回転して、例えば図３に示すように、流入ポート６ｃと流出ポート６ｄとを閉塞した状態では、タービン側から送られた軸受油Ｐが、流入ポート６ａから流入して、流出ポート６ｅから第２油冷却器３Ｂのみに流入する。一方、第２油冷却器３Ｂから流出した軸受油Ｐが、流入ポート６ｂから流入して流出ポート６ｆから流出するものである。このように、切替駒６ｇが回転することで、軸受油Ｐを一方の油冷却器３Ａ、３Ｂのみに流入させたり、両方の油冷却器３Ａ、３Ｂに流入させたりするものである。
【００２６】
このような切替弁６は、制御ユニットによって、次のように制御される。すなわち、平常時は、切替弁６（切替駒６ｇ）がニュートラルの状態であり、両方の油冷却器３Ａ、３Ｂに軸受油Ｐが流入するように制御（設定）されている。また、この際、２つの開閉弁Ｖ５は、ともに開状態になるように制御ユニットによって制御され、両方の油冷却器３Ａ、３Ｂに冷却水Ｗが供給される。一方、冷却条件に基づいて、一方の油冷却器３Ａ、３Ｂのみに冷却水Ｗが供給され、当該一方の油冷却器３Ａ、３Ｂのみに軸受油Ｐが流入するように、開閉弁Ｖ５と切替弁６とが制御される。具体的には、以下のような冷却条件に基づいて制御される。
【００２７】
第１に、一方の油冷却器３Ａ、３Ｂが故障などの異常の場合に、他方の油冷却器３Ａ、３Ｂによって軸受油Ｐを冷却するように制御される。すなわち、一方の油冷却器３Ａ、３Ｂの異常が検知されると、当該一方の油冷却器３Ａ、３Ｂの開閉弁Ｖ５が閉じられ（他方の油冷却器３Ａ、３Ｂの開閉弁Ｖ５は開状態のまま）、他方の油冷却器３Ａ、３Ｂのみに冷却水Ｗが流入する（冷却水Ｗが供給される）。また、当該一方の油冷却器３Ａ、３Ｂの流入出ポート６ａ〜６ｆが閉じられるように、切替弁６の切替駒６ｇが回転制御され、他方の油冷却器３Ａ、３Ｂ（図３の状態では第２油冷却器３Ｂ）のみに軸受油Ｐが流入する。
【００２８】
第２に、油冷却器３Ａ、３Ｂに流入する軸受油Ｐの温度に基づいて、一方の油冷却器３Ａ、３Ｂのみによって軸受油Ｐを冷却する方が、両方の油冷却器３Ａ、３Ｂで冷却するよりも循環ポンプ４Ａ〜４Ｃの消費エネルギー（動力）が低減すると判断される場合である。例えば、軸受油Ｐの流入温度が低く、冷却能力を適正化する（下げる）必要がある場合、つまり、２器の油冷却器３Ａ、３Ｂを使用するのが非効率的な場合などが該当する。そして、このような場合であると制御ユニットによって判断されると、上記第１の場合と同様にして、一方の油冷却器３Ａ、３Ｂのみによって軸受油Ｐを冷却するように、開閉弁Ｖ５および切替弁６が制御される。
【００２９】
第３に、油冷却器３Ａ、３Ｂに流入する軸受油Ｐの量に基づいて、一方の油冷却器３Ａ、３Ｂのみによって軸受油Ｐを冷却する方が、循環ポンプ４Ａ〜４Ｃの消費エネルギーが低減すると判断される場合である。例えば、軸受油Ｐの流入量（タービン側から送られる軸受油Ｐの量）が所定量よりも少なく、冷却能力を適正化する必要がある場合、つまり、２器の油冷却器３Ａ、３Ｂを使用するのが非効率的な場合などが該当する。そして、このような場合には、上記第１、２の場合と同様にして、一方の油冷却器３Ａ、３Ｂのみによって軸受油Ｐを冷却するように、開閉弁Ｖ５および切替弁６が制御される。
【００３０】
第４に、調節弁５の開弁度に基づいて、つまり冷却水Ｗの供給量に基づいて、一方の油冷却器３Ａ、３Ｂのみによって軸受油Ｐを冷却する方が、循環ポンプ４Ａ〜４Ｃの消費エネルギーが低減すると判断される場合や、エロージョン（キャビテーションによって発生する非常に高い圧力による壊食）などを抑制できると判断される場合である。例えば、調節弁５の開弁度が小さく（冷却水Ｗの供給量が少なく）、両方の油冷却器３Ａ、３Ｂに冷却水Ｗを供給しても、冷却能力を発揮できない場合などが該当する。そして、このような場合には、上記第１〜３の場合と同様にして、一方の油冷却器３Ａ、３Ｂのみによって軸受油Ｐを冷却するように、開閉弁Ｖ５および切替弁６が制御される。
【００３１】
次に、このような構成の油冷却装置１の作動および、油冷却装置１による油冷却方法について説明する。
【００３２】
まず、平常時においては、開閉弁Ｖ１〜Ｖ６が開状態で、切替弁６がニュートラルな状態となっている。このような状態で循環ポンプ４Ａ〜４Ｃが駆動すると、水冷却器２Ａ、２Ｂから調節弁５を介して、両方の油冷却器３Ａ、３Ｂに冷却水Ｗが供給される。一方、タービン側から送られた軸受油Ｐが、切替弁６を介して両方の油冷却器３Ａ、３Ｂに流入する。そして、軸受油Ｐと冷却水Ｗとが油冷却器３Ａ、３Ｂ内を流動することで、軸受油Ｐと冷却水Ｗとの間で熱交換が行われ、軸受油Ｐの温度が低下される。温度低下した軸受油Ｐは、油冷却器３Ａ、３Ｂから流出して、切替弁６を介してタービン側に送られる。また、油冷却器３Ａ、３Ｂ内を流動して温度上昇した冷却水Ｗは、油冷却器３Ａ、３Ｂから流出して、循環ポンプ４Ａ〜４Ｃを介して水冷却器２Ａ、２Ｂに流入される。そして、水冷却器２Ａ、２Ｂに供給された海水Ｓによって、冷却水Ｗが冷却される。
【００３３】
一方、冷却条件が上記のような条件（状態）になった場合には、一方の油冷却器３Ａ、３Ｂのみに冷却水Ｗが供給され、当該一方の油冷却器３Ａ、３Ｂのみに軸受油Ｐが流入するように、開閉弁Ｖ５と切替弁６とが制御される。さらに、このような状態から脱して、平常状態（平常時）に戻ったと制御ユニットによって判断されると、上記と同様にして、両方の油冷却器３Ａ、３Ｂに冷却水Ｗが供給され、両方の油冷却器３Ａ、３Ｂに軸受油Ｐが流入するように、開閉弁Ｖ５と切替弁６とが制御されるものである。
【００３４】
以上のように、この油冷却装置１および油冷却方法によれば、平常時は、両方の油冷却器３Ａ、３Ｂによって軸受油Ｐが冷却される。すなわち、一方の油冷却器３Ａ、３Ｂによって軸受油Ｐを冷却する場合に比べて、軸受油Ｐを冷却する冷却面積が２倍になるため、冷却に必要な冷却水Ｗの供給量を減らすことができる。この結果、循環ポンプ４Ａ〜４Ｃの消費エネルギーを低減することができる。また、両方の油冷却器３Ａ、３Ｂが使用されるため、一方の油冷却器３Ａ、３Ｂ内に腐食などが発生するのを抑えることができる。
【００３５】
ここで、平常時において、一方の油冷却器３Ａ、３Ｂのみによって軸受油Ｐを冷却した場合（従来と同様な冷却方法）と、両方の油冷却器３Ａ、３Ｂで冷却した場合（この発明の冷却方法）の循環ポンプ４Ａ〜４Ｃの消費エネルギーなどを比較した一例を図４に示す。図中測定点マル１〜１３は、図１に示した測定点マル１〜１３（開弁度や温度、圧力などの測定点）と対応している。この図４から、冷却効果（油冷却器入口油温度マル６、油冷却器出口油温度マル７など）がほぼ同等であるが、両方の油冷却器３Ａ、３Ｂで冷却した場合の方が、調節弁５の開弁度（軸受油温度調節弁開度マル１）が小さいことがわかる。つまり、冷却効果が同等であっても、冷却水Ｗの供給量が少なくてすむ。この結果、両方の油冷却器３Ａ、３Ｂで冷却した場合の方が、循環ポンプ４Ａ〜４Ｃの消費エネルギー（循環ポンプ動力マル１０）が低い、という結果が得られるものである。
【００３６】
また、上記のように、一方の油冷却器３Ａ、３Ｂが異常の場合には、他方の油冷却器３Ａ、３Ｂによって軸受油Ｐが冷却される。このため、一方の油冷却器３Ａ、３Ｂが故障などしても、軸受油Ｐの冷却を継続することができる。さらに、油冷却器３Ａ、３Ｂに流入する軸受油Ｐの温度や量に基づいて、一方の油冷却器３Ａ、３Ｂのみを使用するようにしているため、より効率的な油冷却器３Ａ、３Ｂの使用が可能となる。この結果、冷却水Ｗの供給量を減らし（適正化し）、循環ポンプ４Ａ〜４Ｃの消費エネルギーをより低減することが可能となる。加えて、調節弁５の開弁度に基づいて、一方の油冷却器３Ａ、３Ｂのみを使用するようにしているため、冷却水Ｗの供給量に応じた効率的な油冷却器３Ａ、３Ｂの使用、軸受油Ｐの冷却が可能となるとともに、エロージョンなどを抑制できる。
【００３７】
以上、この発明の実施の形態について説明したが、具体的な構成は、この実施の形態に限られるものではなく、この発明の要旨を逸脱しない範囲の設計の変更等があっても、この発明に含まれる。例えば、この実施の形態では、タービンの軸受油Ｐを冷却する場合について説明したが、発電機の潤滑油や機器の作動油など、その他の油の冷却にも適用できることは勿論である。
【図面の簡単な説明】
【００３８】
【図１】この発明の実施の形態に係る油冷却装置を示す概略構成図（系統図）である。
【図２】図１の油冷却装置における切替弁がニュートラルな状態で、両方の油冷却器に軸受油が流入して、両方の油冷却器から軸受油が流出する軸受油の流動経路を示す図である。
【図３】図１の油冷却装置における切替弁の切替駒が回転して、一方の油冷却器のみに軸受油が流入して、当該一方の油冷却器のみから軸受油が流出する軸受油の流動経路を示す図である。
【図４】図１の油冷却装置で平常時において、一方の油冷却器のみによって軸受油を冷却した場合と、両方の油冷却器で冷却した場合の循環ポンプの消費エネルギーなどを比較した図である。
【符号の説明】
【００３９】
１          油冷却装置
２Ａ、２Ｂ  水冷却器（冷却媒体冷却器）
３Ａ、３Ｂ  油冷却器
４Ａ〜４Ｃ  循環ポンプ（冷却媒体供給手段）
５          調節弁
６          切替弁
６ａ〜６ｃ  流入ポート
６ｄ〜６ｆ  流出ポート
６ｇ        切替駒
Ｐ          軸受油（油）
Ｗ          冷却水（冷却媒体）
Ｓ          海水
Ｖ１〜Ｖ６  開閉弁
Ｖ７        冷却水圧力調節弁
Ｖ８        冷却水温度調節弁
【図１】
2008064040.tif 000003
【図２】
2008064040.tif 000004
【図３】
2008064040.tif 000005
【図４】
2008064040.tif 000006